Podtech/llm-jp-corpus-v4-ja_patent huggingface dataset:
【手続補正書】
【提出日】平成25年12月11日(2013.12.11)
【手続補正１】
【補正対象書類名】明細書
【補正対象項目名】００１０
【補正方法】変更
【補正の内容】
【００１０】
すなわち本発明の粘着剤シートは、以下に示す（メタ）アクリル酸エステル（Ａ−１）９４.８〜９９.８９重量％、水酸基を有する（メタ）アクリル系単量体（Ａ−２） ０.１〜５重量％、及び以下に示すカルボキシル基含有（メタ）アクリル酸エステル（Ａ−３）０.０１〜０.２重量％を含む単量体混合物から得られる共重合体であって、重量平均分子量が１００万〜２００万であるアクリル樹脂（Ａ）１００重量部、並びに架橋剤（Ｂ）０.０１〜５重量部を含有する粘着剤組成物からシート状に形成されているものである。
【手続補正２】
【補正対象書類名】明細書
【補正対象項目名】００３３
【補正方法】変更
【補正の内容】
【００３３】
単量体（Ａ−２）は、水酸基を有する（メタ）アクリル系単量体であり、その例としては、（メタ）アクリル酸２−ヒドロキシエチル、（メタ）アクリル酸３−ヒドロキシプロピル、（メタ）アクリル酸４−ヒドロキシブチル、（メタ）アクリル酸２−（２−ヒドロキシエトキシ）エチルなどが挙げられる。これらのなかでも、（メタ）アクリル酸２−ヒドロキシエチルを、アクリル樹脂（Ａ）を構成する単量体（Ａ−２）の一つとして用いるのが好ましい。
【手続補正書】
【提出日】平成26年1月22日(2014.1.22)
【手続補正１】
【補正対象書類名】明細書
【補正対象項目名】０００４
【補正方法】変更
【補正の内容】
【０００４】  本発明は、飛行機が着陸する際にタイヤが着地した時の摩擦熱によりタイヤが著しく摩耗すること等による上記の諸問題の解決を図ることを目的としている。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2012153673.tif 000001
（式中、破線は二重結合であってもよいことを示す。但し、式中の結合ａ及びｂが同時に二重結合となることはない）
で示される化合物又はその溶媒和物を有効成分として含有するアロマターゼ活性化剤。
【請求項２】
下記式（Ｉ）：
【化２】
2012153673.tif 000002

（式中、破線は二重結合であってもよいことを示す。但し、式中の結合ａ及びｂが同時に二重結合となることはない）
で示される化合物又はその溶媒和物を有効成分として含有するエストロゲン欠乏性疾患又は症状の予防及び／又は改善剤。
【請求項３】
前記エストロゲン欠乏性疾患又は症状が、骨粗鬆症、高脂血症、動脈硬化、うつ病、記憶障害、アルツハイマー病、更年期障害、黄斑変性、白内障、ドライアイからなる群より選択される請求項２記載の予防及び／又は改善剤。
【請求項４】
下記式（Ｉ）：
【化３】
2012153673.tif 000003

（式中、破線は二重結合であってもよいことを示す。但し、式中の結合ａ及びｂが同時に二重結合となることはない）
で示される化合物又はその溶媒和物を有効成分として含有する毛成長調節剤。
【請求項５】
前記毛成長調節が、頭髪の成長促進又は体毛の発毛抑制である請求項４記載の毛成長調節剤。
【請求項６】
下記式（Ｉ）：
【化４】
2012153673.tif 000004

（式中、破線は二重結合であってもよいことを示す。但し、式中の結合ａ及びｂが同時に二重結合となることはない）
で示される化合物又はその溶媒和物を有効成分として含有する皮膚老化改善剤。
【請求項７】
前記皮膚老化が、表皮・真皮厚の減少、皮膚水分量の減少、血行障害、コラーゲンの減少、弾力性の低下、及びシワの増加からなる群より選択される請求項６記載の皮膚老化改善剤。
【請求項８】
下記式（Ｉ）：
【化５】
2012153673.tif 000005

（式中、破線は二重結合であってもよいことを示す。但し、式中の結合ａ及びｂが同時に二重結合となることはない）
で示される化合物又はその溶媒和物を有効成分として含有する皮膚外用剤。
【手続補正２】
【補正対象書類名】明細書
【補正対象項目名】０００５
【補正方法】変更
【補正の内容】
【０００５】
アロマターゼは、コレステロールから生成されたアンドロゲンをエストロゲン（エストラジオール）に変換する作用を有するエストロゲン合成酵素である。アロマターゼを活性化させる物質としては、従来、アマチャ、アルニカ、ウイキョウ、ウコン、エンゴサク、エンメイソウ、オウゴン、ガジュツ、キササゲ、キジツ、クマザサ、ケイガイ、ケツメイシ、コウボク、ゴシュユ、サイコ、サイシン、サンショウ、ショウズク、ゼニアオイ、センキュウ、トウキ、トマト、ハマボウフウ、ビャクジュツ、ヘチマ、ベニバナ、ガマ、ユリ、リュウタン、ロジン、イリス根、オドリコソウ、オノニス、カンゾウ、クジン、グレープフルーツ、ケイヒ、ゲンチアナ、コウキ、コンズランゴ、サルビア、サンザシ、サンヤク、ショウキョウ、ショウブ、シラカバ、スイカズラ、セイヨウサンザシ、セイヨウノギリソウ、ソウハクヒ、タイム、チョウジ、チンピ、トウヒ、トラガント、ハマメリス、ビャクシ、ブッチャーブルーム、ボウイ、ボウコン、ボウフウ、ホップ、マオウ、ラベンダー、リンゴ、レイシ、レタス、レモン、ローマカミツレ及びワレモコウより選ばれる植物若しくはそれらの抽出物、ならびに酵母エキス、絹タンパク抽出物、乳タンパク質、トレハロース、納豆エキス、ローヤルゼリー、オリザオイル、加水分解コムギエキス、シアバター、及び米発酵エキスが知られている（特許文献１及び２）。
【手続補正３】
【補正対象書類名】明細書
【補正対象項目名】００４０
【補正方法】変更
【補正の内容】
【００４０】
【化６】
2012153673.tif 000006
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
オヒルムシロ、タケニグサ及びそれらの抽出物からなる群より選択される少なくとも１種を有効成分とするコラーゲンゲル収縮促進剤。
【請求項２】
オヒルムシロ、タケニグサ及びそれらの抽出物からなる群より選択される少なくとも１種を有効成分とする皮膚の老化予防又は改善剤。
【請求項３】
オヒルムシロ、タケニグサ及びそれらの抽出物からなる群より選択される少なくとも１種を有効成分とする皮膚の弾力、ハリ又はタルミ改善剤。
【請求項４】
オヒルムシロ、タケニグサ及びそれらの抽出物からなる群より選択される少なくとも１種を有効成分とする皮膚の引き締め剤。
【請求項５】
オヒルムシロ、タケニグサ及びそれらの抽出物からなる群より選択される少なくとも１種を有効成分とする皮膚の創傷治癒剤。
【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
低度の捲縮が付与された短繊維からなる抄紙用原綿であって、下記（１）〜（５）の特性を同時に満足することを特徴とする抄紙用原綿。
（１）捲縮数１．０〜６．０山／２５ｍｍ
（２）捲縮度１．０〜６．０％
（３）乾燥時の繊維間摩擦係数０．２５〜０．５０
（４）湿潤時の繊維間摩擦係数０．２５以下
（５）繊維長５〜１５ｍｍ
【請求項２】
短繊維の単糸繊度が０．１〜４．０ｄｔｅｘであることを特徴とする請求項１記載の抄紙用原綿。
【請求項３】
抄紙用原綿がポリエステル原綿であることを特徴とする請求項１又は２に記載の抄紙用原綿。
【請求項４】
請求項１〜３のいずれかに記載の抄紙用原綿を梱包したベール梱包体であって、充填された原綿の密度が１８０〜２８０ｋｇ／ｍ３であることを特徴とするベール梱包体。
【手続補正２】
【補正対象書類名】明細書
【補正対象項目名】００１２
【補正方法】変更
【補正の内容】
【００１２】
（１）捲縮数１．０〜６．０山／２５ｍｍ
（２）捲縮度１．０〜６．０％
（３）乾燥時の繊維間摩擦係数０．２５〜０．５０
（４）湿潤時の繊維間摩擦係数０．２５以下
（５）繊維長５〜１５ｍｍ
また、本発明のベール梱包体は、上記抄紙用原綿を梱包したベール梱包体であって、充填された原綿の密度が１８０〜２８０ｋｇ／ｍ３であることを特徴とするものである。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
下記組成式（１）
（Ａ1-xＢx）3Ｃ5Ｏ12  （１）
（式中、ＡはＹ，Ｇｄ及びＬｕから選ばれる１種以上の希土類元素、ＢはＣｅ，Ｎｄ及びＴｂから選ばれる１種以上の希土類元素、ＣはＡｌ及びＧａから選ばれる１種以上の元素であり、ｘは０．００２≦ｘ≦０．２である。）
で示されるガーネット相を含有し、複数の一次粒子で構成された球形の多結晶体二次粒子であり、該二次粒子の平均粒子径が５〜５０μｍであり、励起波長４５０ｎｍ、発光波長４８０〜７８０ｎｍの範囲において、吸収率が９０％以上、外部量子効率が８５％以上であることを特徴とする蛍光体粒子。
【請求項２】
上記一次粒子の粒子径が０．１〜５μｍであることを特徴とする請求項１記載の蛍光体粒子。
【請求項３】
多結晶粒子の表面平均隆起高さが０．０２〜２μｍであることを特徴とする請求項１又は２記載の蛍光体粒子。
【請求項４】
Ｂａ含有率が１０ｐｐｍ以下であることを特徴とする請求項１乃至３のいずれか１項記載の蛍光体粒子。
【請求項５】
上記組成式（１）中のＢで示される希土類元素が、Ｃｅ及びＮｄから選ばれることを特徴とする請求項１乃至４のいずれか１項記載の蛍光体粒子。
【請求項６】
上記組成式（１）中のＡ、Ｂ及びＣで示される元素の１種又は２種以上を含む酸化物を原料とし、該酸化物の粉末を１種で又は２種以上、上記Ａ、Ｂ及びＣで示される元素が上記組成の比率となるように混合して平均粒子径５〜６５μｍに造粒し、得られた造粒粒子をプラズマ中で溶融してプラズマ外で球状に固化させ、更に、得られた粒子を非酸化性雰囲気中９００〜１，７００℃で加熱処理して得られたことを特徴とする請求項１乃至５のいずれか１項記載の蛍光体粒子。
【請求項７】
上記原料酸化物にフラックスを添加することなく製造したことを特徴とする請求項６記載の蛍光体粒子。
【請求項８】
上記造粒粒子をプラズマ中で溶融して液滴とし、プラズマ外で球状に固化させたことを特徴とする請求項６又は７記載の蛍光体粒子。
【請求項９】
上記造粒粒子を、蛍光体組成物のスラリーから造粒したことを特徴とする請求項６乃至８のいずれか１項記載の蛍光体粒子。
【請求項１０】
上記蛍光体組成物のスラリーが、平均粒子径が０．０１〜２．０μｍの微粒子のスラリーであることを特徴とする請求項９記載の蛍光体粒子。
【請求項１１】
上記蛍光体組成物のスラリーに、更に有機添加剤を加えたことを特徴とする請求項９又は１０記載の蛍光体粒子。
【請求項１２】
造粒粒子を大気中で熱処理して有機成分を除去した後、プラズマ中で溶融したことを特徴とする請求項１１記載の蛍光体粒子。
【請求項１３】
請求項１乃至１２のいずれか１項記載の蛍光体粒子を、発光素子の発光光路上に直接又は樹脂若しくは無機ガラスに分散させて積層してなることを特徴とする発光ダイオード。
【手続補正２】
【補正対象書類名】明細書
【補正対象項目名】００１０
【補正方法】変更
【補正の内容】
【００１０】
従って、本発明は、下記の蛍光体粒子及び発光ダイオードを提供する。
請求項１：
下記組成式（１）
（Ａ1-xＢx）3Ｃ5Ｏ12  （１）
（式中、ＡはＹ，Ｇｄ及びＬｕから選ばれる１種以上の希土類元素、ＢはＣｅ，Ｎｄ及びＴｂから選ばれる１種以上の希土類元素、ＣはＡｌ及びＧａから選ばれる１種以上の元素であり、ｘは０．００２≦ｘ≦０．２である。）
で示されるガーネット相を含有し、複数の一次粒子で構成された球形の多結晶体二次粒子であり、該二次粒子の平均粒子径が５〜５０μｍであり、励起波長４５０ｎｍ、発光波長４８０〜７８０ｎｍの範囲において、吸収率が９０％以上、外部量子効率が８５％以上であることを特徴とする蛍光体粒子。
請求項２：
上記一次粒子の粒子径が０．１〜５μｍであることを特徴とする請求項１記載の蛍光体粒子。
請求項３：
多結晶粒子の表面平均隆起高さが０．０２〜２μｍであることを特徴とする請求項１又は２記載の蛍光体粒子。
請求項４：
Ｂａ含有率が１０ｐｐｍ以下であることを特徴とする請求項１乃至３のいずれか１項記載の蛍光体粒子。
請求項５：
上記組成式（１）中のＢで示される希土類元素が、Ｃｅ及びＮｄから選ばれることを特徴とする請求項１乃至４のいずれか１項記載の蛍光体粒子。
請求項６：
上記組成式（１）中のＡ、Ｂ及びＣで示される元素の１種又は２種以上を含む酸化物を原料とし、該酸化物の粉末を１種で又は２種以上、上記Ａ、Ｂ及びＣで示される元素が上記組成の比率となるように混合して平均粒子径５〜６５μｍに造粒し、得られた造粒粒子をプラズマ中で溶融してプラズマ外で球状に固化させ、更に、得られた粒子を非酸化性雰囲気中９００〜１，７００℃で加熱処理して得られたことを特徴とする請求項１乃至５のいずれか１項記載の蛍光体粒子。
請求項７：
上記原料酸化物にフラックスを添加することなく製造したことを特徴とする請求項６記載の蛍光体粒子。
請求項８：
上記造粒粒子をプラズマ中で溶融して液滴とし、プラズマ外で球状に固化させたことを特徴とする請求項６又は７記載の蛍光体粒子。
請求項９：
上記造粒粒子を、蛍光体組成物のスラリーから造粒したことを特徴とする請求項６乃至８のいずれか１項記載の蛍光体粒子。
請求項１０：
上記蛍光体組成物のスラリーが、平均粒子径が０．０１〜２．０μｍの微粒子のスラリーであることを特徴とする請求項９記載の蛍光体粒子。
請求項１１：
上記蛍光体組成物のスラリーに、更に有機添加剤を加えたことを特徴とする請求項９又は１０記載の蛍光体粒子。
請求項１２：
造粒粒子を大気中で熱処理して有機成分を除去した後、プラズマ中で溶融したことを特徴とする請求項１１記載の蛍光体粒子。
請求項１３：
請求項１乃至１２のいずれか１項記載の蛍光体粒子を、発光素子の発光光路上に直接又は樹脂若しくは無機ガラスに分散させて積層してなることを特徴とする発光ダイオード。
また、本発明は、上記蛍光体粒子の製造方法として、以下の製造方法が関連する。
［１］  上記組成式（１）中のＡ、Ｂ及びＣで示される元素の１種又は２種以上を含む酸化物を原料とし、該酸化物の粉末を１種で又は２種以上、上記Ａ、Ｂ及びＣで示される元素が上記組成の比率となるように混合して平均粒子径５〜６５μｍに造粒し、得られた造粒粒子をプラズマ中で溶融してプラズマ外で球状に固化させ、更に、得られた粒子を非酸化性雰囲気中９００〜１，７００℃で加熱処理することを特徴とする蛍光体粒子の製造方法。
［２］  上記原料酸化物にフラックスを添加することなく製造することを特徴とする［１］記載の製造方法。
【手続補正３】
【補正対象書類名】明細書
【補正対象項目名】００４４
【補正方法】変更
【補正の内容】
【００４４】
【表１】
2012153905.tif 000001
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
硫化カルボニルおよびシアン化水素の加水分解用触媒であって、
バリウム、ニッケル、ルテニウム、コバルト、モリブデンからなる群から選択される金属の少なくとも１種を主成分とする活性成分と、
前記活性成分を担持する酸化チタン系担体と
を少なくとも含み、
前記担体が、酸化チタンと酸化ケイ素の複合酸化物、酸化チタンと酸化アルミニウムの複合酸化物、酸化チタンと酸化ジルコニウムの複合酸化物からなる群から選択される酸化チタン系複合酸化物の少なくとも１種であることを特徴とする加水分解用触媒。
【請求項２】
前記担体に、炭酸バリウム、炭酸ニッケル、硝酸ルテニウム、炭酸コバルト、モリブデン酸アンモニウムからなる群から選択される金属塩の少なくとも１種を添加してなる請求項１記載の加水分解用触媒。
【請求項３】
前記担体が、酸化チタンである請求項１または請求項２記載の加水分解用触媒。
【請求項４】
前記加水分解用触媒が、ハニカム形状である請求項１〜請求項３のいずれかに記載の加水分解用触媒。
【請求項５】
硫化カルボニルおよびシアン化水素を加水分解するための触媒としての酸化チタン系組成物の使用であって、
前記組成物が、
バリウム、ニッケル、ルテニウム、コバルト、モリブデンからなる群から選択される金属の少なくとも１種を主成分とする活性成分と、
前記活性成分を担持する酸化チタン系担体と
を少なくとも含み、
前記担体が、酸化チタンと酸化ケイ素の複合酸化物、酸化チタンと酸化アルミニウムの複合酸化物、酸化チタンと酸化ジルコニウムの複合酸化物からなる群から選択される酸化チタン系複合酸化物の少なくとも１種であることを特徴とする酸化チタン系組成物の使用。
【請求項６】
前記組成物が、前記担体に炭酸バリウム、炭酸ニッケル、硝酸ルテニウム、炭酸コバルト、モリブデン酸アンモニウムからなる群から選択される金属塩の少なくとも１種を添加してなる請求項５記載の酸化チタン系組成物の使用。
【請求項７】
前記担体が、酸化チタンである請求項５または請求項６記載の酸化チタン系組成物の使用。
【請求項８】
前記組成物が、ハニカム形状である請求項５〜請求項７のいずれかに記載の酸化チタン系組成物の使用。
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技機への電力供給が停止していても所定期間記憶内容を保持可能な記憶手段と、
遊技の進行を制御する遊技制御手段とを備え、
前記遊技制御手段は、
電力供給の停止にもとづいて、前記記憶手段の記憶内容が正常か否かの判定に用いるチェックデータの作成処理を含む電力供給停止時処理を実行する電力供給停止時処理実行手段と、
電力供給が開始されたときに、前記チェックデータにもとづいて前記記憶手段の記憶内容が正常か否かの判定を実行するチェックデータ判定手段と、
少なくとも前記記憶手段の記憶内容が正常であると判定されたことを条件に、前記記憶手段に保持されていた記憶内容にもとづいて制御状態を電力供給が停止される前の状態に復旧させる復旧制御を実行する復旧制御手段と、
前記記憶手段の記憶内容が正常でないと判定されたときに、前記記憶手段の記憶内容を初期化する初期化処理を実行する初期化処理実行手段とを含み、
前記記憶手段の記憶内容が正常でないと判定されたときに、所定の報知を実行する報知手段をさらに備え、
前記遊技制御手段は、さらに、前記所定の報知の実行中であっても、遊技の進行を制御可能である
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００６
【補正方法】変更
【補正の内容】
【０００６】
本発明は、記憶手段の記憶内容が正常でないと判定されたときに、所定の報知を実行することができるようにすることを目的とする。
【手続補正４】
【補正対象書類名】明細書
【補正対象項目名】０００７
【補正方法】変更
【補正の内容】
【０００７】
本発明による遊技機は、遊技を行うことが可能な遊技機であって、遊技機への電力供給が停止していても所定期間記憶内容を保持可能な記憶手段と、遊技の進行を制御する遊技制御手段とを備え、遊技制御手段は、電力供給の停止にもとづいて、記憶手段の記憶内容が正常か否かの判定に用いるチェックデータの作成処理を含む電力供給停止時処理を実行する電力供給停止時処理実行手段と、電力供給が開始されたときに、チェックデータにもとづいて記憶手段の記憶内容が正常か否かの判定を実行するチェックデータ判定手段と、少なくとも記憶手段の記憶内容が正常であると判定されたことを条件に、記憶手段に保持されていた記憶内容にもとづいて制御状態を電力供給が停止される前の状態に復旧させる復旧制御を実行する復旧制御手段と、記憶手段の記憶内容が正常でないと判定されたときに、記憶手段の記憶内容を初期化する初期化処理を実行する初期化処理実行手段とを含み、記憶手段の記憶内容が正常でないと判定されたときに、所定の報知を実行する報知手段をさらに備え、遊技制御手段は、さらに、所定の報知の実行中であっても、遊技の進行を制御可能であることを特徴とする。
【手続補正５】
【補正対象書類名】明細書
【補正対象項目名】０００８
【補正方法】変更
【補正の内容】
【０００８】
請求項１記載の発明によれば、記憶手段の記憶内容が正常でないと判定されたときに、所定の報知を実行することができる。
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技機への電力供給が停止していても所定期間記憶内容を保持可能な記憶手段と、
遊技の進行を制御する遊技制御手段とを備え、
前記遊技制御手段は、
電力供給の停止にもとづいて、前記記憶手段の記憶内容が正常か否かの判定に用いるチェックデータの作成処理を含む電力供給停止時処理を実行する電力供給停止時処理実行手段と、
電力供給が開始されたときに、前記チェックデータにもとづいて前記記憶手段の記憶内容が正常か否かの判定を実行するチェックデータ判定手段と、
所定条件が成立した場合には、前記チェックデータにもとづく前記記憶手段の記憶内容が正常か否かの判定を実行することなく、前記記憶手段の記憶内容を初期化する初期化処理を実行する初期化処理実行手段とを含み、
前記記憶手段の記憶内容が正常でないと判定されたときに、所定の報知を実行する報知手段をさらに備え、
前記遊技制御手段は、さらに、前記所定の報知の実行中であっても、遊技の進行を制御可能である
ことを特徴とする遊技機。
【手続補正２】
【補正対象書類名】明細書
【補正対象項目名】０００１
【補正方法】変更
【補正の内容】
【０００１】
本発明は、遊技を行うことが可能なパチンコ遊技機等の遊技機に関する。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
【特許文献１】特開平５−２２８２４３号公報
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明は、記憶手段の記憶内容が正常でないと判定されたときに、所定の報知を実行することができる遊技機を提供することを目的とする。
【手続補正８】
【補正対象書類名】明細書
【補正対象項目名】００１０
【補正方法】変更
【補正の内容】
【００１０】
本発明による遊技機は、遊技を行うことが可能な遊技機であって、遊技機への電力供給が停止していても所定期間記憶内容を保持可能な記憶手段と、遊技の進行を制御する遊技制御手段とを備え、遊技制御手段は、電力供給の停止にもとづいて、記憶手段の記憶内容が正常か否かの判定に用いるチェックデータの作成処理を含む電力供給停止時処理を実行する電力供給停止時処理実行手段と、電力供給が開始されたときに、チェックデータにもとづいて記憶手段の記憶内容が正常か否かの判定を実行するチェックデータ判定手段と、所定条件が成立した場合には、チェックデータにもとづく記憶手段の記憶内容が正常か否かの判定を実行することなく、記憶手段の記憶内容を初期化する初期化処理を実行する初期化処理実行手段とを含み、記憶手段の記憶内容が正常でないと判定されたときに、所定の報知を実行する報知手段をさらに備え、遊技制御手段は、さらに、所定の報知の実行中であっても、遊技の進行を制御可能であることを特徴とする。
【手続補正９】
【補正対象書類名】明細書
【補正対象項目名】００１１
【補正方法】変更
【補正の内容】
【００１１】
請求項１記載の発明では、記憶手段の記憶内容が正常でないと判定されたときに、所定の報知を実行することができる。
【手続補正書】
【提出日】平成26年10月2日(2014.10.2)
【手続補正１】
【補正対象書類名】特許請求の範囲
【補正対象項目名】請求項１２
【補正方法】変更
【補正の内容】
【請求項１２】
前記複数のラインヘッドは、不織布を材料とする衛生用品の生産ラインの途中に配設さ
れる請求項７から１１のいずれか１項に記載のインクジェット記録方法。
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
用紙に舌片状紙片を形成する第１カッターと線状切込みを形成する第２カッターとを有し、Ｕ字状の切込み線により前記舌片状紙片を形成すると共に該舌片状紙片の基部近くに前記線状切込みを形成して該舌片状紙片を折り返すことにより該舌片状紙片の先端を前記線状切込みに挿入して重ねた前記用紙を綴じる綴じ具であって、
平板状の底板周辺から立ち上げた壁部を有するベース部材と、該ベース部材の後方上部近くを回動中心として回動可能に取り付けられたハンドル部材とを有し、該ハンドル部材には、紙押え部材をカム構造によって、直接的にまたは間接的に押し下げる押圧部を有することを特徴とする綴じ具。
【請求項２】
前記ハンドル部材には、更に紙押え部材に設けられたスリットに係合する突出部を有することを特徴とする請求項１に記載した綴じ具。
【請求項３】
前記ハンドル部材には、更に紙押え部材に押し付けるように作用するテンション用板バネを有することを特徴とする請求項２に記載した綴じ具。
【請求項４】
前記押圧部及びテンション用板バネは、前記ハンドル部材と一体に構成される基部材に設けられていることを特徴とする請求項３に記載した綴じ具。
【請求項５】
用紙に舌片状紙片を形成する第１カッターと線状切込みを形成する第２カッターとを有し、Ｕ字状の切込み線により前記舌片状紙片を形成すると共に該舌片状紙片の基部近くに前記線状切込みを形成して該舌片状紙片を折り返すことにより該舌片状紙片の先端を前記線状切込みに挿入して重ねた前記用紙を綴じる綴じ具であって、
平板状の底板周辺から立ち上げた壁部を有するベース部材と、該ベース部材の後方上部に後端近くを回動中心として回動可能に取り付けられたハンドル部とを有し、
前記ベース部材の内方上部に上下方向に摺動可能とされる載置台を有すると共に該載置台の下方に前記第１カッターと第２カッターを収納し、
前記載置台の上方に上下方向に摺動可能とされる紙押え部を有し、この紙押え部材の後端近くの上面を前記ハンドル部材の内側中央後方部分により押圧して前記紙押え部材を降下させ、
前記載置台と前記紙押え部材との間に挟んだ用紙を前記紙押え部材や前記載置台と共に降下させて前記第１カッター及び第２カッターにより前記挟んだ用紙に切込みを設けて前記用紙を綴じるものであって、前記ベース部材、前記ハンドル部材、前記載置台、前記紙押え部材を樹脂製とし、前記ハンドル部材の内部に板状の金属板を有することを特徴とする綴じ具。
【手続補正２】
【補正対象書類名】明細書
【補正対象項目名】０００９
【補正方法】変更
【補正の内容】
【０００９】
本発明に係る綴じ具は、用紙に舌片状紙片を形成する第１カッターと線状切込みを形成する第２カッターとを有し、Ｕ字状の切込み線により前記舌片状紙片を形成すると共に該舌片状紙片の基部近くに前記線状切込みを形成して該舌片状紙片を折り返すことにより該舌片状紙片の先端を前記線状切込みに挿入して重ねた前記用紙を綴じる綴じ具であって、平板状の底板周辺から立ち上げた壁部を有するベース部材と、該ベース部材の後方上部近くを回動中心として回動可能に取り付けられたハンドル部材とを有し、該ハンドル部材には、紙押え部材をカム構造によって、直接的にまたは間接的に押し下げる押圧部を有することを特徴とするものである。
【手続補正３】
【補正対象書類名】明細書
【補正対象項目名】００１１
【補正方法】変更
【補正の内容】
【００１１】
本発明に係る綴じ具は、ベース部材の内部上方に載置台を、載置台の上方に紙押え部材を配置し、ベース部材の後方上部近くを回動中心としてベース部材に対して回動可能に取り付けるハンドル部材の中央よりも後方を押圧部としているために小さな力で紙押え部材や載置台を降下させることができ、比較的単純な構造として製造が容易な綴じ具とすることができるものである。
【手続補正４】
【補正対象書類名】明細書
【補正対象項目名】００１７
【補正方法】変更
【補正の内容】
【００１７】
また、本発明の詳細な実施例を説明する前に、本発明の概要を図を用いて説明する。
本発明のハンドル部材131に組み込まれるハンドル板135と、このハンドル板135の中央から後方に配置される基部材141を図６に示す。
また、この基部材141が固定されたハンドル板135をベース部材21に固定する前、及び、固定した後の状態を模式的に図７、図８に示す。
更に、ハンドル板135を組み込んだハンドル部材131を押し込んで、紙の綴り動作を開始した状態を図９に示し、押し下げた状態で、紙つまりなどで、押し込まれた状態でロックされてしまった場合に、押し上げる状態を図１０に示す。
【手続補正５】
【補正対象書類名】明細書
【補正対象項目名】００１８
【補正方法】変更
【補正の内容】
【００１８】
このハンドル板135の図６における右端即ちハンドル板135の後端近くには、ベース部材21に回転可能に固定するためのハンドル軸用の開口部150が設けられている。
また、紙押え部材101に設けたスリットに係合するための突出部148が設けられている。
【手続補正６】
【補正対象書類名】明細書
【補正対象項目名】００２１
【補正方法】変更
【補正の内容】
【００２１】
本発明では、これらの構成によって、ハンドル部材131と紙押え部材101とを、金属のリンク部材を用いることなく、カム構造によってリンク可能としたものであり、金属部品を減らし、かつ、金属のリンク部材を用いたものと同様のハンドル荷重の低減化を図れるものである。
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
下方に開口するように上面と側面とを有し、前記上面と前記側面との交わり部に切り欠きを有した段ボールと、
前記段ボールで被梱包物の上部を覆う際に前記段ボールと前記被梱包物の上部との間に配置されるように形成され、前記段ボールと前記被梱包物の上部との間に配置されたときに前記切り欠きに前記段ボールの内側から嵌合するように形成された突起部を有した緩衝材と、
を備え、
前記突起部は、
結束バンドで前記段ボールと前記緩衝材とを前記被梱包物に固定する際に前記結束バンドと接触するように、前記段ボールの上面よりも上方に突き出るように形成された第１突出部と、
前記結束バンドで前記段ボールと前記緩衝材とを前記被梱包物に固定する際に前記結束バンドと接触するように、前記段ボールの側面よりも側方に突き出るように形成された第２突出部と、
を備え、
前記第１突出部及び前記第２突出部の少なくとも一方は、前記結束バンドで前記段ボールと前記緩衝材とを前記被梱包物に固定する際に前記結束バンドを案内する凹部を備えた梱包装置。
【請求項２】
前記凹部は、前記第１突出部の上面と前記第２突出部の側面との交わり部の中央に曲面状の面取りを施すことにより形成された請求項１記載の梱包装置。
【請求項３】
前記凹部は、前記第１突出部の上面と前記第２突出部の側面との交わり部の中央に平面状の面取りを施すことにより形成された請求項１記載の梱包装置。
【請求項４】
前記側面は、互いに対向する１対の側面を含み、
前記切り欠きは、
前記上面と前記１対の側面の一方との交わり部に設けられた第１の切り欠き部と、
前記上面と前記１対の側面の他方との交わり部に設けられて前記上面を挟んで前記第１の切り欠き部に対向する位置に設けられた第２の切り欠き部と、
を含み、
前記突起部は、
前記第１の切り欠き部に嵌合するように形成された第１の突起部と、前記第２の切り欠き部に嵌合するように形成された第２の突起部と、
を含む請求項１記載の梱包装置。
【請求項５】
前記第１の切り欠き部と前記第２の切り欠き部の対が２対設けられている請求項４記載の梱包装置。
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
スペーサ本体と、
スペーサ本体の両端にそれぞれ設けられたフランジと、
を有するカウンターウエイトスペーサの着脱作業に使用するカウンターウエイトスペーサ用治具において、
隣接した２つのフランジを外周側から挟み込み可能な、少なくとも２個の断面コ字状の治具本体と、
治具本体に接続され、作業中における治具本体の落下を防止する落下防止金具と、
を有し、
落下防止金具は、治具本体の取り付け対象となるフランジ以外のフランジに取り付けられる、
ことを特徴とするカウンターウエイトスペーサ用治具。
【請求項２】
請求項１に記載のカウンターウエイトスペーサ用治具において、
治具本体には、隣接した２つのフランジを締結する締結部材との接触を避けるための切欠き部が形成される、
ことを特徴とするカウンターウエイトスペーサ用治具。
【請求項３】
請求項１または２に記載のカウンターウエイトスペーサ用治具において、
治具本体は、下側のフランジとの接触面に設けられ、そのフランジに吸着する吸着部材を有する、
ことを特徴とするカウンターウエイトスペーサ用治具。
【請求項４】
請求項１から３のいずれか１つに記載のカウンターウエイトスペーサ用治具において、
治具本体は、フランジとの接触面に形成され、治具本体とフランジの相対的移動を容易にするガイド部を有する、
ことを特徴とするカウンターウエイトスペーサ用治具。
【請求項５】
請求項４に記載のカウンターウエイトスペーサ用治具において、
ガイド部は、上側のフランジとの接触面に設けられ、治具本体の長手方向に伸びるように形成される溝構造である、
ことを特徴とするカウンターウエイトスペーサ用治具。
【請求項６】
請求項１から５のいずれか１つに記載のカウンターウエイトスペーサ用治具において、
治具本体は、長手方向の一端に、その長手方向に直交するフランジの外面に当接する当接部を有する、
ことを特徴とするカウンターウエイトスペーサ用治具。
【請求項７】
請求項６に記載のカウンターウエイトスペーサ用治具において、
当接部は、フランジに対応するように取り付けられる２つの治具本体を接続するように形成される、
ことを特徴とするカウンターウエイトスペーサ用治具。
【手続補正２】
【補正対象書類名】明細書
【補正対象項目名】００１０
【補正方法】変更
【補正の内容】
【００１０】
本発明は、スペーサ本体と、スペーサ本体の両端にそれぞれ設けられたフランジと、を有するカウンターウエイトスペーサの着脱作業に使用するカウンターウエイトスペーサ用治具において、隣接した２つのフランジを外周側から挟み込み可能な、少なくとも２個の断面コ字状の治具本体と、治具本体に接続され、作業中における治具本体の落下を防止する落下防止金具と、を有し、落下防止金具は、治具本体の取り付け対象となるフランジ以外のフランジに取り付けられることを特徴とする。
【手続補正３】
【補正対象書類名】明細書
【補正対象項目名】００１１
【補正方法】削除
【補正の内容】
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
全体が機器の立体模倣形態であるとともに、その表面に前記機器の内部で使用される物品の形態模様が表示され、その表示が洗浄剤による洗浄効能を示すことを特徴とする洗浄剤の販売用装置。
【請求項２】
全体が物品の立体模倣形態であるとともに、その表面に洗浄剤による前記物品の洗浄効能を示すことを特徴とする洗浄剤の販売用装置。
【請求項３】
内部を前記洗浄剤の製品収納部とする請求項１または２記載の洗浄剤の販売用装置。
【請求項４】
表面に前記洗浄剤の使用方法を示す表示部を備える請求項１記載の、または前記立体模倣形態が前記洗浄剤の実際の使用状態を呈することにより前記洗浄剤の使用方法を示す請求項２記載の、洗浄剤の販売用装置。
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
被加工物の被加工面を加工部材を用いて平面加工する加工装置に用いられる保持装置であって、
前記被加工物を保持する保持部と、
前記保持部に隣接して設けられ、前記加工部材の前記被加工面からのはみ出し部分の少なくとも一部を支持可能な支持部材と、を備え、
前記支持部材は、前記はみ出し部分の少なくとも一部を前記被加工面と同一面上で支持する回転可能な球体を有することを特徴とする保持装置。
【請求項２】
前記支持部材が、複数の半球状の収容溝を備えるとともにこれら各収容溝内に前記球体が回転自在に収容されて構成されることを特徴とする請求項１に記載の保持装置。
【請求項３】
前記球体がエア圧によって浮上させて支持されることを特徴とする請求項１もしくは２に記載の保持装置。
【請求項４】
複数の前記球体が前記保持部の外周面に沿って配列され、複数の前記球体により前記はみ出し部分の少なくとも一部を支持することが可能であることを特徴とする請求項１〜３のいずれかに記載の保持装置。
【請求項５】
請求項１〜４のいずれかに記載の保持装置と、
前記被加工物の前記被加工面を研磨可能な研磨部材とを備え、
前記研磨部材を前記被加工物の前記被加工面に当接させながら相対移動させて前記被加工物の前記被加工面を研磨するとともに、前記被加工物から周囲へはみ出す前記研磨部材のはみ出し部分を前記支持部材が支持するように構成されたことを特徴とする研磨装置。
【請求項６】
被加工物の被加工面を加工部材を用いて平面加工する加工装置に用いられる保持装置であって、
前記被加工物を保持する保持部と、
前記保持部に隣接して設けられ、前記加工部材の前記被加工面からのはみ出し部分の少なくとも一部を支持可能な支持部材と、を備え、
前記支持部材は、前記保持部の外周面近傍から放射状に延びる回転軸を中心に回転自在で、外周側に向かって径が大きくなる円錐台形状のローラ体を有して構成され、
前記はみ出し部分の少なくとも一部を前記ローラ体により前記被加工面と同一面上で支持することを特徴とする保持装置。
【請求項７】
前記支持部材は、前記ローラ体の外周面の上端稜線部で、前記はみ出し部分の少なくとも一部を支持することを特徴とする請求項６に記載の保持装置。
【請求項８】
複数の前記ローラ体が前記保持部の外周面に沿って配列されて前記保持部の外周面近傍から放射状に延びる回転軸を中心にそれぞれ回転自在であり、複数の前記ローラ体により前記はみ出し部分の少なくとも一部を支持することが可能であることを特徴とする請求項６または７に記載の保持装置。
【請求項９】
請求項６〜８のいずれかに記載の保持装置と、
前記被加工物の前記被加工面を研磨可能な研磨部材とを備え、
前記研磨部材を前記被加工物の前記被加工面に当接させながら相対移動させて前記被加工物の前記被加工面を研磨するとともに、前記被加工物から周囲へはみ出す前記研磨部材のはみ出し部分を前記支持部材が支持するように構成されたことを特徴とする研磨装置。
【手続補正２】
【補正対象書類名】明細書
【補正対象項目名】発明の名称
【補正方法】変更
【補正の内容】
【発明の名称】保持装置及び研磨装置
【手続補正３】
【補正対象書類名】明細書
【補正対象項目名】０００９
【補正方法】変更
【補正の内容】
【０００９】
このような目的達成のため、本発明に係る保持装置は、被加工物の被加工面を加工部材を用いて平面加工する加工装置に用いられる保持装置であって、前記被加工物を保持する保持部と、前記保持部に隣接して設けられ、前記加工部材の前記被加工面からのはみ出し部分の少なくとも一部を支持可能な支持部材と、を備え、前記支持部材は、前記はみ出し部分の少なくとも一部を前記被加工面と同一面上で支持する回転可能な球体を有するという構成である。
【手続補正４】
【補正対象書類名】明細書
【補正対象項目名】００１０
【補正方法】変更
【補正の内容】
【００１０】
もう一つの本発明に係る保持装置は、被加工物の被加工面を加工部材を用いて平面加工する加工装置に用いられる保持装置であって、前記被加工物を保持する保持部と、前記保持部に隣接して設けられ、前記加工部材の前記被加工面からのはみ出し部分の少なくとも一部を支持可能な支持部材と、を備え、前記支持部材は、前記保持部の外周面近傍から放射状に延びる回転軸を中心に回転自在で、外周側に向かって径が大きくなる円錐台形状のローラ体を有して構成され、前記はみ出し部分を前記ローラ体により前記被加工面と同一面上で支持するという構成である。
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
卵巣癌、原発腹膜癌または卵管癌と診断された患者を治療するための医薬であって、
以下のアミノ酸配列：
EVQLVESGGG LVQPGGSLRL SCAASGYTFT NYGMNWVRQA PGKGLEWVGW
INTYTGEPTY AADFKRRFTF SLDTSKSTAY LQMNSLRAED TAVYYCAKYP
HYYGSSHWYF DVWGQGTLVT VSS（配列番号：１）
を含む重鎖可変領域と、以下のアミノ酸配列：
DIQMTQSPSS LSASVGDRVT ITCSASQDIS NYLNWYQQKP GKAPKVLIYF
TSSLHSGVPS RFSGSGSGTD FTLTISSLQP EDFATYYCQQ YSTVPWTFGQ
GTKVEIKR（配列番号：２）
を含む軽鎖可変領域とを含む抗ＶＥＧＦ抗体、並びに、カルボプラチン及びゲムシタビンを含む化学療法レジメンを含み、
カルボプラチン及びゲムシタビンはサイクル１から開始して１０サイクルまで投与され、抗ＶＥＧＦ抗体は、サイクル１から開始して、疾患が進行するまで投与され続ける、医薬。
【請求項２】
患者が、白金感受性再発性卵巣癌と診断されている請求項１に記載の医薬。
【請求項３】
前記抗ＶＥＧＦ抗体が、ハイブリドーマＡＴＣＣ ＨＢ １０７０９によって産生されるモノクローナル抗ＶＥＧＦ抗体Ａ４．６．１と同じエピトープに結合する請求項１に記載の医薬。
【請求項４】
抗ＶＥＧＦ抗体がヒト化抗体である請求項１に記載の医薬。
【請求項５】
抗ＶＥＧＦ抗体がヒト化Ａ４．６．１抗体又はその断片である請求項４に記載の医薬。
【請求項６】
抗ＶＥＧＦ抗体がベバシズマブである請求項５に記載の医薬。
【請求項７】
抗ＶＥＧＦ治療で治療されていない別の患者と比べた場合、患者の無進行生存が少なくとも約３ヶ月以上延長される請求項１に記載の医薬。
【請求項８】
以下のアミノ酸配列：
EVQLVESGGG LVQPGGSLRL SCAASGYTFT NYGMNWVRQA PGKGLEWVGW
INTYTGEPTY AADFKRRFTF SLDTSKSTAY LQMNSLRAED TAVYYCAKYP
HYYGSSHWYF DVWGQGTLVT VSS（配列番号：１）
を含む重鎖可変領域と、以下のアミノ酸配列：
DIQMTQSPSS LSASVGDRVT ITCSASQDIS NYLNWYQQKP GKAPKVLIYF
TSSLHSGVPS RFSGSGSGTD FTLTISSLQP EDFATYYCQQ YSTVPWTFGQ
GTKVEIKR（配列番号：２）
を含む軽鎖可変領域とを有する抗ＶＥＧＦ抗体の、
白金感受性再発性卵巣癌、原発腹膜癌または卵管癌と診断された患者を治療するための医薬であって、
抗ＶＥＧＦ抗体が、カルボプラチン及びゲムシタビンを含む化学療法レジメンと組み合わせて投与され、カルボプラチン及びゲムシタビンはサイクル１から開始して１０サイクルまで投与され、抗ＶＥＧＦ抗体は、サイクル１から開始して、疾患が進行するまで投与され続ける、医薬
の製造のための使用。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
Ｐｌｕｒｏｎｉｃ  Ｆ−１２７および抗コネキシン４３ポリヌクレオチドを含む組成物を含む容器と、体重１ｋｇあたり０．００１ｍｇ〜１ｍｇの該組成物を慢性皮膚創傷に投与することにより該創傷を有する被験体を治療するための説明書とを含む、製品。
【請求項２】
Ｐｌｕｒｏｎｉｃ  Ｆ−１２７および抗コネキシン４３ポリヌクレオチドを含む組成物を含む容器と、体重１ｋｇあたり０．０１ｍｇ〜１０ｍｇの該組成物を慢性皮膚創傷に投与することにより該創傷を有する被験体を治療するための説明書とを含む、製品。
【請求項３】
Ｐｌｕｒｏｎｉｃ  Ｆ−１２７および１ｍｌあたり０．５〜４０．０ｍｇの濃度で存在する抗コネキシン４３ポリヌクレオチドを含む組成物を含む容器と、該組成物を慢性皮膚創傷に投与することにより該創傷を有する被験体を治療するための説明書とを含む、製品。
【請求項４】
（ａ）１％〜５０％の、治療有効用量濃度の抗コネキシン４３ポリヌクレオチド、および、（ｂ）Ｐｌｕｒｏｎｉｃ  Ｆ−１２７を含む組成物の１以上の用量を含む容器と、該組成物を単回投与または分割投与で慢性皮膚創傷に投与することにより該創傷を有する被験体を治療するための説明書とを含む、製品。
【請求項５】
前記ポリヌクレオチドが、非修飾オリゴデオキシヌクレオチドである、請求項１〜３または４のいずれか１項に記載の製品。
【請求項６】
前記慢性皮膚創傷が静脈性潰瘍である、請求項１〜４または５のいずれかに記載の製品。
【請求項７】
前記慢性皮膚創傷が静脈うっ滞性潰瘍である、請求項１〜４または５のいずれかに記載の製品。
【請求項８】
前記慢性皮膚創傷が糖尿病性潰瘍である、請求項１〜４または５のいずれかに記載の製品。
【請求項９】
前記慢性皮膚創傷が糖尿病性足部潰瘍である、請求項１〜４または５のいずれかに記載の製品。
【請求項１０】
慢性皮膚創傷を有する被験体の体重１ｋｇあたり０．００１ｍｇ〜１ｍｇの局所投与のためのラベルが貼られた、Ｐｌｕｒｏｎｉｃ  Ｆ−１２７および抗コネキシン４３ポリヌクレオチドを含む組成物を１以上含む、キット。
【請求項１１】
慢性皮膚創傷を有する被験体の体重１ｋｇあたり０．０１ｍｇ〜１０ｍｇの局所投与のためのラベルが貼られた、Ｐｌｕｒｏｎｉｃ  Ｆ−１２７および抗コネキシン４３ポリヌクレオチドを含む組成物を１以上含む、キット。
【請求項１２】
Ｐｌｕｒｏｎｉｃ  Ｆ−１２７、および、１ｍｌあたり０．５〜４０．０ｍｇの濃度で存在する抗コネキシン４３ポリヌクレオチドを含む組成物を１以上と、該組成物の慢性皮膚創傷への局所投与のためのラベルとを含む、キット。
【請求項１３】
Ｐｌｕｒｏｎｉｃ  Ｆ−１２７、および、０．５〜１．０ｍｇの抗コネキシン４３ポリヌクレオチドを含む、２５〜１００μＬの範囲の投与容量で存在する組成物を１以上と、該組成物の慢性皮膚創傷への局所投与のためのラベルとを含む、キット。
【請求項１４】
Ｐｌｕｒｏｎｉｃ  Ｆ−１２７、および、０．５〜１．０ｍｇの抗コネキシン４３ポリヌクレオチドを含む、１００〜２００μＬの範囲の投与容量で存在する組成物を１以上と、該組成物の慢性皮膚創傷への局所投与のためのラベルとを含む、キット。
【請求項１５】
Ｐｌｕｒｏｎｉｃ  Ｆ−１２７、および、０．５〜１．０ｍｇの抗コネキシン４３ポリヌクレオチドを含む、２００〜５００μＬの範囲の投与容量で存在する組成物を１以上と、該組成物の慢性皮膚創傷への局所投与のためのラベルとを含む、キット。
【請求項１６】
Ｐｌｕｒｏｎｉｃ  Ｆ−１２７、および、０．５〜１．０ｍｇの抗コネキシン４３ポリヌクレオチドを含む、５００〜１０００μＬの範囲の投与容量で存在する組成物を１以上と、該組成物の慢性皮膚創傷への局所投与のためのラベルとを含む、キット。
【請求項１７】
（ａ）１％〜５０％の、治療有効用量濃度の抗コネキシン４３ポリヌクレオチド、および、（ｂ）Ｐｌｕｒｏｎｉｃ  Ｆ−１２７を含む組成物と、単回投与または分割投与での該組成物の慢性皮膚創傷への局所投与のためのラベルとを含む、キット。
【請求項１８】
Ｐｌｕｒｏｎｉｃ  Ｆ−１２７、および、１％〜５０％の抗コネキシン４３ポリヌクレオチドを含む、慢性皮膚創傷の治療のための抗コネキシンポリヌクレオチドの治療有効用量濃度を含む、キット。
【請求項１９】
Ｐｌｕｒｏｎｉｃ  Ｆ−１２７、および、慢性皮膚創傷を治療するために有効な用量濃度の、１％〜５０％の抗コネキシン４３ポリヌクレオチドを含むゲルを含むキット。
【請求項２０】
前記ポリヌクレオチドが非修飾オリゴデオキシヌクレオチドである、請求項１０〜１９のいずれかに記載のキット。
【請求項２１】
前記慢性皮膚創傷が静脈性潰瘍である、請求項１０〜１９のいずれかに記載のキット。
【請求項２２】
前記慢性皮膚創傷が静脈うっ滞性潰瘍である、請求項１０〜１９のいずれかに記載のキット。
【請求項２３】
前記慢性創傷が糖尿病性潰瘍である、請求項１０〜１９のいずれかに記載のキット。
【請求項２４】
前記慢性皮膚創傷が糖尿病性足部潰瘍である、請求項１０〜１９のいずれかに記載のキット。